(57)【要約】【課題】広い範囲を撮影できる電子機器を実現する。【解決手段】第１カメラ（２）は第１の筐体の外面に配され、第２カメラ（３）は第２の筐体の外面に配され、電子機器（１０）が折りたたまれた状態において、第１カメラ（２）および第２カメラ（３）に同時に撮影させる処理を実行可能な撮影処理部（７３）を含む。【選択図】図１
2020122919.tif 000002
【特許請求の範囲】
【請求項１】
第１の筐体と、第２の筐体と、第１のカメラと、第２のカメラと、制御装置と、を備え、
前記第１のカメラは前記第１の筐体の一面に配され、前記第２のカメラは前記第２の筐体の一面に配され、
前記第１のカメラが配された前記第１の筐体の一面と、前記第２のカメラが配された前記第２の筐体の一面とが、それぞれ外側となるように折りたたみ可能な電子機器であって、
前記制御装置は、
前記電子機器が折りたたまれた状態において、前記第１のカメラおよび前記第２のカメラに同時に撮影させる処理を実行可能であることを特徴とする電子機器。
【請求項２】
前記第１の筐体および前記第２の筐体にわたって設けられ折りたたみ可能な表示装置を備え、前記表示装置が内側となるように折りたたみ可能であることを特徴とする請求項１に記載の電子機器。
【請求項３】
前記制御装置は、
前記電子機器が折りたたまれた状態において撮影された、前記第１のカメラの撮影画像と、前記第２のカメラの撮影画像とを合成する処理をさらに実行することを特徴とする請求項２に記載の電子機器。
【請求項４】
前記電子機器が折りたたまれた状態において、前記第１のカメラの光軸と、前記第２のカメラの光軸とが一致することを特徴とする請求項１から３までの何れか１項に記載の電子機器。
【請求項５】
前記制御装置は、
前記電子機器が折りたたまれたことを契機として、前記第１のカメラおよび前記第２のカメラに撮影を開始させる処理をさらに実行することを特徴とする請求項１から４までの何れか１項に記載の電子機器。
【請求項６】
前記制御装置は、
前記電子機器が折りたたまれた状態において、撮影開始を指示する音声を認識する処理と、
折りたたまれた前記電子機器が前記音声を認識したら、前記第１のカメラおよび前記第２のカメラに撮影を開始させる処理と、をさらに実行することを特徴とする請求項１から４までの何れか１項に記載の電子機器。
【請求項７】
前記制御装置は、
折りたたまれた前記電子機器を開いたことを契機として、前記第１のカメラおよび前記第２のカメラに撮影を終了させる処理をさらに実行することを特徴とする請求項５または６に記載の電子機器。
【請求項８】
前記制御装置は、
前記合成により得られた画像を前記表示装置に表示させる処理をさらに実行することを特徴とする請求項３に記載の電子機器。
【請求項９】
第１の筐体と、第２の筐体と、第１のカメラと、第２のカメラと、を備え、前記第１のカメラが配された前記第１の筐体の一面と、前記第２のカメラが配された前記第２の筐体の一面とが、それぞれ外側となるように折りたたみ可能な電子機器を制御する制御装置であって、
前記電子機器が折りたたまれた状態であることを認識する開閉検知部と、
前記開閉検知部が、前記電子機器が折りたたまれた状態であると認識した場合に、前記第１のカメラおよび第２のカメラに同時に撮影させる処理を実行可能な撮影処理部と、を含むことを特徴とする制御装置。
【請求項１０】
請求項９に記載の制御装置としてコンピュータを機能させるための制御プログラムであって、前記開閉検知部および前記撮影処理部としてコンピュータを機能させるための制御プログラム。
【請求項１１】
第１の筐体と、第２の筐体と、第１のカメラと、第２のカメラと、を備え、前記第１のカメラが配された前記第１の筐体の一面と、前記第２のカメラが配された前記第２の筐体の一面とが、それぞれ外側となるように折りたたみ可能な電子機器を制御する制御装置の制御方法であって、
前記電子機器が折りたたまれた状態であることを認識する開閉検知工程と、
前記開閉検知工程が、前記電子機器が折りたたまれた状態であると認識した場合に、前記第１のカメラおよび第２のカメラに同時に撮影させる処理を実行する撮影処理工程と、を含むことを特徴とする制御方法。
【発明の詳細な説明】
【技術分野】
【０００１】
本発明は、表示装置が内側となるように折りたたみ可能な電子機器、制御装置、制御プログラムおよび制御方法に関する。
【背景技術】
【０００２】
近年、タッチパネル式のディスプレイを有し、物理的なキーボードを持たないタブレット型ＰＣやスマートフォン等の携帯型通信端末が急速に普及している。この種の携帯型通信端末のディスプレイは、使用時には大きい方が望ましい反面、携帯時には小型化されることが望まれている。そこで、有機ＥＬ（Electro Luminescence）ディスプレイ等のフレキシブルディスプレイを用いることで、筐体だけでなくディスプレイまでも折りたたみ可能に構成した携帯型通信端末が提案されている（例えば、特許文献１参照）。
【先行技術文献】
【特許文献】
【０００３】
【特許文献１】特開２００６−４２４００号公報
【発明の概要】
【発明が解決しようとする課題】
【０００４】
しかしながら、従来のスマートフォンでは、通常、筐体の同一面上に、同じ側を撮影するように撮影方向が設定された２つのカメラが横並びで配置されているため、２つのカメラで同時に撮影したとしても、特定の方向に限られた狭い範囲の撮影しかできないという問題点があった。
【０００５】
本発明は、以上の問題点に鑑みて為されたものであり、その目的は、電子機器が折りたたまれた状態で、配される位置が異なる第１のカメラおよび第２のカメラによって同時に撮影することで、広い範囲を撮影できる電子機器などを実現することを目的とする。
【課題を解決するための手段】
【０００６】
前記の課題を解決するために、本発明の一態様に係る電子機器は、第１の筐体と、第２の筐体と、第１のカメラと、第２のカメラと、制御装置と、を備え、前記第１のカメラは前記第１の筐体の一面に配され、前記第２のカメラは前記第２の筐体の一面に配され、前記第１のカメラが配された前記第１の筐体の一面と、前記第２のカメラが配された前記第２の筐体の一面とが、それぞれ外側となるように折りたたみ可能な電子機器であって、前記制御装置は、前記電子機器が折りたたまれた状態において、前記第１のカメラおよび前記第２のカメラに同時に撮影させる処理を実行可能である。
【０００７】
前記の課題を解決するために、本発明の一態様に係る制御装置は、第１の筐体と、第２の筐体と、第１のカメラと、第２のカメラと、を備え、前記第１のカメラが配された前記第１の筐体の一面と、前記第２のカメラが配された前記第２の筐体の一面とが、それぞれ外側となるように折りたたみ可能な電子機器を制御する制御装置であって、前記電子機器が折りたたまれた状態であることを認識する開閉検知部と、前記開閉検知部が、前記電子機器が折りたたまれた状態であると認識した場合に、前記第１のカメラおよび第２のカメラに同時に撮影させる処理を実行可能な撮影処理部と、を含む。
【０００８】
前記の課題を解決するために、本発明の一態様に係る制御方法は、第１の筐体と、第２の筐体と、第１のカメラと、第２のカメラと、を備え、前記第１のカメラが配された前記第１の筐体の一面と、前記第２のカメラが配された前記第２の筐体の一面とが、それぞれ外側となるように折りたたみ可能な電子機器を制御する制御装置の制御方法であって、前記電子機器が折りたたまれた状態であることを認識する開閉検知工程と、前記開閉検知工程が、前記電子機器が折りたたまれた状態であると認識した場合に、前記第１のカメラおよび第２のカメラに同時に撮影させる処理を実行する撮影処理工程と、を含む。
【発明の効果】
【０００９】
本発明の一態様によれば、電子機器が折りたたまれた状態で、配される位置が異なる第１のカメラおよび第２のカメラによって同時に撮影することで、広い範囲を撮影できる電子機器などを実現することができる。
【図面の簡単な説明】
【００１０】
【図１】本発明の実施の一形態に係る電子機器の機能的構成を示すブロック図である。
【図２】前記電子機器の一例を模式的に示す外観図であり、（ａ）は前記電子機器の開状態の表示面側を示す正面図であり、（ｂ）は前記電子機器の開状態の外面側を示す背面図であり、（ｃ）は前記電子機器の閉状態を示す側面図である。
【図３】前記電子機器を上方（図２の（ａ）のＢ方向）から見た外観図であり、（ａ）は前記電子機器の開状態を示し、（ｂ）は前記電子機器の閉状態を示す。
【図４】前記電子機器の特徴的動作の流れを示すフローチャートである。
【発明を実施するための形態】
【００１１】
以下、本発明の実施形態について詳細に説明する。なお、説明の便宜上、各実施形態に示した部材と同一の機能を有する部材については、同一の符号を付記し、適宜その説明を省略する。また、以下の説明においては、図２の（ａ）において表示装置６に対して近接センサ１が配置されている方向を上方として、上下左右の方向を示すものとする。なお、以下に示す上下左右の方向は説明の便宜上のものであり、本発明の実施に対しこれらの方向に限定されることはない。
【００１２】
さらに、本発明の実施の一形態に係る電子機器が備える制御装置、表示装置等の各装置については、単数であってもよいし複数であってもよい。 
【００１３】
〔電子機器１０の外観構成〕
まず、図２に基づき、本発明の実施の一形態に係る電子機器１０の外観構成について説明する。図２の（ａ）は電子機器１０の開状態の表示面側を示す正面図である。図２の（ｂ）は電子機器１０の開状態の外面側を示す背面図である。図２の（ｃ）は電子機器１０の閉状態を示す側面図である。
【００１４】
ここで、電子機器１０の閉状態とは、後述する表示装置６が内側となるように電子機器１０が折りたたまれた状態を示す。また、電子機器１０の開状態とは、電子機器１０が開かれ後述する表示装置６が平坦となる状態を示す。
【００１５】
電子機器１０は、例えばスマートフォンにより実現される。なお、電子機器１０はスマートフォンに限らず、例えば、タブレット端末等、折りたたみ可能な表示装置６を有する各種電子機器に適用することができる。
【００１６】
電子機器１０は、図２の（ａ）に示すように、表示装置６、第１筐体（第１の筐体）１１、第２筐体（第２の筐体）１２、およびヒンジ機構９を備えている。第１筐体１１および第２筐体１２は、表示装置６、および電子機器１０の内部構造を保護するものである。
【００１７】
第１筐体１１および第２筐体１２は、それぞれ長方形状であり、かつ、互いに長辺方向（長辺が延伸する方向）が同じ方向となるように並べて配置されている。具体的には、第１筐体１１および第２筐体１２は、それぞれ箱型であり、表示装置６側から見た正面視において、略長方形となる。第１筐体１１および第２筐体１２は、前記長方形の長辺同士が隣り合うように（隣接するように）並べて配置されている。第１筐体１１と第２筐体１２とは、ほぼ同じ大きさであることが好ましい。この場合、第１筐体１１と第２筐体１２とは、閉状態で重なり合う。そのため、閉状態において、表示装置６は外部から視認されない状態となる。なお、第１の筐体１０１および第２の筐体１０２は、互いに短辺同士が隣接するように並べて配置されていてもよい。
【００１８】
（ヒンジ機構９）
ヒンジ機構９について、図２および図３に基づき説明する。図３は電子機器１０を上方（図２の（ａ）のＢ方向）から見た外観図である。図３の（ａ）は電子機器１０の開状態を示し、図３の（ｂ）は電子機器１０の閉状態を示す。
【００１９】
ヒンジ機構９は、第１筐体１１と第２筐体１２との間に設けられ、電子機器１０の開閉を可能にする。図３の（ａ）に示すように、電子機器１０の開状態において、ヒンジ機構９により表示装置６は平坦な状態が保持される。
【００２０】
ヒンジ機構９は、第１筐体１１または第２筐体１２を回動させる軸となる。ヒンジ機構９は、第１筐体１１および第２筐体１２の間に配置されており、第１筐体１１および第２筐体１２は、ヒンジ機構９に固定されている。第１筐体１１および第２筐体１２は、ヒンジ機構９によって、第２筐体１２または第１筐体１１に対して開閉するように回動可能となる。言い換えると、ヒンジ機構９は、電子機器１０の開状態から閉状態への移行、および、閉状態から開状態への移行を可能にする。
【００２１】
（表示装置６）
表示装置６は、画像を含む各種情報を表示する。表示装置６は、略長方形でありパネル状である。表示装置６は、第１筐体１１および第２筐体１２にわたって設けられ、折りたたみ可能である。
【００２２】
第１筐体１１、第２筐体１２、ヒンジ機構９および表示装置６により、電子機器１０は、表示装置６の略長方形の短辺と直行する前記短辺の中心線を軸として、表示装置６が内側となるように細長くなるように折りたたみ可能である。これにより、電子機器１０に大きな表示装置６を採用した場合であっても、折りたたむことで持ち運びしやすく、収納しやすくなる。
【００２３】
また、上述したように、電子機器１０は、折りたたむことで、表示装置６が外部から視認されない状態となる。さらに、電子機器１０の外面（一面）１１ａおよび１２ａには他の表示装置が設けられないことが好ましく、この場合、電子機器１０の外面１１ａおよび１２ａは、電子機器１０を把持するための把持面として機能する。ここで、他の表示装置とは、前記把持面としての機能を阻害する大きさの表示装置であり、例えば、カラー表示可能な液晶ディスプレイまたは有機ＥＬディスプレイ等の表示装置である。したがって、例えば、ＬＥＤ単体のみで形成されるような、小型の表示装置は含まれない。
【００２４】
これにより、閉状態で電子機器１０を操作する際、通話など片手での操作を必要とする場合であっても、片手でしっかりと電子機器１０を把持して操作することができる。また、後述する第１カメラ（第１のカメラ）２および第２カメラ（第２のカメラ）３の閉状態での操作も行いやすくなる。
【００２５】
（電子機器１０の表示面側）
電子機器１０は、図２の（ａ）に示すように、電子機器１０の表示面側に、近接センサ１を備えている。表示面とは、電子機器１０において表示装置６が配置されている側の面を示す。
【００２６】
近接センサ１は、近接物を検知する。近接センサ１は、表示装置６の上部に配置されている。近接センサ１は、例えば、電子機器１０の閉状態および開状態を検知する。また、近接センサ１は、ユーザの顔が電子機器１０に近接した位置に存在していることを検知する。電子機器１０は、近接センサ１における近接の検知に基づき、表示装置６のＯＮ／ＯＦＦなどの、各種制御を行うことができる。
【００２７】
（電子機器１０の外面側）
さらに、電子機器１０は、図２の（ｂ）に示すように、外面１１ａに、第１カメラ２を備えている。また、外面１２ａに第２カメラ３を備えている。電子機器１０の背面は、第１筐体１１の領域である外面１１ａ、第２筐体１２の領域である外面１２ａ、および、ヒンジ機構９の領域から形成されている。言い換えれば、電子機器１０は、第１カメラ２が配された第１筐体１１の一面（外面１１ａ）と、第２カメラ３が配された第２筐体１２の一面（外面１２ａ）とが、それぞれ外側となるように折りたたみ可能な電子機器１０である。
【００２８】
第１カメラ２、および第２カメラ３は、静止画、および動画が撮影可能なカメラである。第１カメラ２は第１筐体１１の外面１１ａに配され、第２カメラ３は第２筐体１２の外面１２ａに配されている。そのため、電子機器１０の閉状態で、第１カメラ２および第２カメラ３の撮影方向が異なるので、電子機器１０を折りたたむことで第１カメラ２および第２カメラ３がそれぞれ異なる方向を撮影できる。そのため、電子機器１０は広い範囲を撮影することができる。
【００２９】
また、電子機器１０の閉状態において、第１カメラ２の光軸と、第２カメラ３の光軸とが一致するようになっていることが好ましい。これにより、電子機器１０が折りたたまれた状態において、第１カメラ２の光軸と、第２カメラ３の光軸とが一致する。これにより、２つのカメラの撮影画像を合成する場合には、合成が容易となる。また、第１カメラ２および第２カメラ３は、略１８０度の撮影が可能であることが好ましい。この場合、電子機器１０を閉状態とすることで、第１カメラ２および第２カメラ３により略３６０度の撮影が可能となる。
【００３０】
なお、第１カメラ２および第２カメラ３による撮影に用いられるフラッシュを発生させる発光装置（例えば、ＬＥＤ照明装置）が、第１筐体１１の外面１１ａおよび第２筐体１２の外面１２ａに配されていても良い。また、前記発光装置は、第１筐体１１の外面１１ａおよび第２筐体１２の外面１２ａにおいて、それぞれ対称となる位置に配されていても良い。
【００３１】
〔電子機器１０の機能的構成〕
次に、図１に基づき、電子機器１０の機能的構成について説明する。図１は、電子機器１０の概略構成を示すブロック図である。図１に示すように、電子機器１０は、近接センサ１、第１カメラ２、第２カメラ３、タッチパネル４、マイク５、表示装置６、制御装置７、および記憶装置８を備えている。
【００３２】
上述したように、近接センサ１は、例えば、電子機器１０の閉状態、および開状態を検知する。また、第１カメラ２、および第２カメラ３は、静止画、および動画が撮影可能なカメラである。
【００３３】
また、マイク５は電子機器１０に１つ設けられていても良く、２つ以上設けられていても良い。例えば、２つのマイク５が電子機器１０に設けられていれば、第１カメラ２および／または第２カメラ３によって動画を撮影する場合、当該２つのマイク５によってステレオ録音できる。このように、２つのマイク５が電子機器１０に設けられる場合、マイク５は、第１筐体１１の外面１１ａおよび第２筐体１２の外面１２ａにおいて、それぞれ対称となる位置に配されていることが好ましい。
【００３４】
タッチパネル４は、ユーザのタッチ操作による操作指令を電気信号に変換して後述する指令受付部７２に出力する。また、マイク５は、入力された音声を電気信号に変換して指令受付部７２に出力する。表示装置６は、画像を含む各種情報を表示する。
【００３５】
図１に示すように、制御装置７は、開閉検知部７１、指令受付部７２、撮影処理部７３、画像生成部７４、および表示制御部７５を備える。開閉検知部７１は、近接センサ１の検知結果に基づき、電子機器１０の開閉を検知し、その検知結果を撮影処理部７３に伝達する。すなわち、開閉検知部７１は、電子機器１０が折りたたまれた状態であることを認識できる。
【００３６】
指令受付部７２は、タッチパネル４からの電気信号に基づき、ユーザによる操作指令を特定する。また、指令受付部７２は、マイク５からの電気信号に基づき、音声認識を行ってユーザによる操作指令を特定する。さらに、指令受付部７２は、前記操作指令の特定結果を撮影処理部７３に伝達する。
【００３７】
撮影処理部７３は、例えば、電子機器１０が開状態にある場合に、撮影を開始する操作指令を受付けた場合、第１カメラ２および第２カメラ３により同時に撮影を行わせ、これらのカメラのそれぞれから撮像データを受領する。言い換えれば、撮影処理部７３は、開閉検知部７１が、電子機器１０が折りたたまれた状態であると認識した場合に、第１カメラ２および第２カメラ３に同時に撮影させる処理を実行可能である。
【００３８】
撮影処理部７３は、受領した撮像データを画像生成部７４に送る。画像生成部７４は、前記撮像データを合成して、例えば、３Ｄ画像を生成して、表示制御部７５に送る。表示制御部７５は、画像生成部７４より受領した３Ｄ画像を表示装置６に表示させる。
【００３９】
なお、上述の通り、第１カメラ２、および第２カメラ３は、静止画、および動画が撮影可能なカメラである。したがって、前記の第１カメラ２の撮影画像と、第２カメラ３の撮影画像とを合成した３Ｄ画像は、写真等の静止画であってもよく、ムービー等の動画であってもよい。
【００４０】
また、撮影処理部７３は、例えば、電子機器１０が閉状態にある場合に、撮影を開始する操作指令を受付けた場合、第１カメラ２および第２カメラ３により同時に撮影を行わせ、これらのカメラのそれぞれから撮像データを受領する。すなわち、撮影処理部７３は、電子機器１０が折りたたまれた状態において、第１カメラ２および第２カメラ３に同時に撮影させる処理を実行可能になっている。これにより、電子機器１０が折りたたまれた状態で、配される位置が異なる第１カメラ２および第２カメラ３によって同時に撮影することで、広い範囲を撮影できる。
【００４１】
また、撮影処理部７３は、電子機器１０が折りたたまれたことを契機として、第１カメラ２および第２カメラ３に撮影を開始させる処理を実行しても良い。これにより、電子機器１０を折りたたむことで撮影が開始されるため、ユーザは簡便な操作により撮影を行うことができる。また、折りたたんだ状態の電子機器１０に操作ボタン等を設ける必要がない。
【００４２】
また、撮影処理部７３は、電子機器１０が開かれたことを契機として、第１カメラ２および第２カメラ３に撮影を開始させる処理を実行しても良い。これにより、電子機器１０を開くことで撮影が開始されるため、ユーザは簡便な操作により３Ｄ画像の撮影を行うことができる。
【００４３】
なお、撮影処理部７３は、電子機器１０が折りたたまれたことを開閉検知部７１が認識した時点で第１カメラ２および第２カメラ３に撮影を開始させる処理を実行しても良いし、電子機器１０が折りたたまれたことを開閉検知部７１が認識した時点から一定時間（例えば、５秒）が経過した後に、第１カメラ２および第２カメラ３に撮影を開始させる処理を実行しても良い。前記一定時間は、第１カメラ２および第２カメラ３の起動時間等に応じて適宜設定されることが好ましい。
【００４４】
撮影処理部７３は、受領した撮像データを画像生成部７４に送る。画像生成部７４は、前記撮像データを合成して、表示制御部７５に送る。前記合成の方法として、例えば、第１カメラ２および第２カメラ３により撮影された略１８０度撮影画像を、それぞれの画像の端面を滑らかにつなぎ合わせるスティッチング処理によれば、撮影処理部７３は、略３６０度撮影画像を生成できる。すなわち、撮影処理部７３は、電子機器１０が折りたたまれた状態において撮影された、第１カメラ２の撮影画像と、第２カメラ３の撮影画像とを合成する処理を実行するようになっている。これにより、撮影方向がそれぞれ異なる第１カメラ２および第２カメラ３により撮影された撮影画像を合成することで、１つの撮影画像に広い範囲を含ませることができる。
【００４５】
表示制御部７５は、画像生成部７４より受領した略３６０度撮影画像を表示装置６に表示させる。言い換えれば、表示制御部７５は、電子機器１０が折りたたまれた状態において撮影された、第１カメラ２の撮影画像と、第２カメラ３の撮影画像とを合成した画像を表示装置６に表示させる処理をさらに実行する。
【００４６】
なお、上述の通り、第１カメラ２、および第２カメラ３は、静止画、および動画が撮影可能なカメラである。したがって、前記の第１カメラ２の撮影画像と、第２カメラ３の撮影画像とを合成した画像は、写真等の静止画であってもよく、ムービー等の動画であってもよい。
【００４７】
また、指令受付部７２が、電子機器１０が折りたたまれた状態において、撮影開始を指示する音声（操作指令）を認識し、撮影処理部７３が、折りたたまれた電子機器１０が前記音声を認識したら、第１カメラ２および第２カメラ３に撮影を開始させても良い。これにより、音声認識により撮影が開始されるため、折りたたんだ状態の電子機器１０に操作ボタン等を設ける必要がない。
【００４８】
また、撮影処理部７３は、折りたたまれた電子機器１０を開いたことを契機として、第１カメラ２および第２カメラ３に撮影を終了させる処理を実行しても良い。これにより、折りたたまれた電子機器１０を開くことで撮影が終了するため、ユーザは簡便な操作により撮影を終了できる。また、電子機器１０を開いた状態での撮影画像が、折りたたまれた状態での撮影画像に意図せず含まれることを防ぐことができる。
【００４９】
記憶装置８には、各種データが記録される。例えば、第１カメラ２および第２カメラ３で撮影した撮影画像や、画像生成部７４で合成させた３Ｄ画像や、略３６０度撮影画像などを例示することができる。
【００５０】
（電子機器１０の特徴的な動作）
次に、図４に基づき、電子機器１０の特徴的な動作、すなわち電子機器１０を制御する制御装置７の制御方法について説明する。図４は、電子機器１０の特徴的動作の流れを示すフローチャートである。以下、電子機器１０を単に「端末」と略称することがある。
【００５１】
図４の（ａ）に示すように、制御装置７は、端末が閉状態にあるときに動作を開始し、ステップＳ（以下、「ステップ」は省略する）１０１に進む。Ｓ１０１では、開閉検知部７１が、端末が開状態にあるか否かを検知し、開状態にある場合（ＹＥＳ）、Ｓ１０２に進む。一方、端末が開状態にない場合（ＮＯ）、Ｓ１０１に戻る。
【００５２】
Ｓ１０２では、指令受付部７２は、ユーザからカメラを起動させる旨の操作指令を受けたか否かを確認する。その結果、前記操作指令を受けた場合（ＹＥＳ）、Ｓ１０３に進む。一方、前記操作指令を受けていない場合（ＮＯ）、Ｓ１０２に戻る。Ｓ１０３では、撮影処理部７３が、カメラアプリを起動させて、Ｓ１０４に進む。
【００５３】
Ｓ１０４では、開閉検知部７１が、端末が閉状態にあるか否かを検知し（開閉検知工程）、端末が閉状態にある場合（ＹＥＳ）、「Ａ」に進む。一方、端末が閉状態にない場合（ＮＯ）、Ｓ１０５に進む。
【００５４】
Ｓ１０５では、指令受付部７２が、ユーザから撮影操作開始の操作指令を受けたか否かを確認する。その結果、撮影操作開始の操作指令を受けた場合（ＹＥＳ）、Ｓ１０６に進む。一方、撮影操作開始の操作指令を受けていない場合（ＮＯ）、Ｓ１０４に戻る。
【００５５】
Ｓ１０６では、撮影処理部７３が、略１８０度×２の３Ｄ（立体）撮影を開始し、Ｓ１０７に進む。Ｓ１０７では、指令受付部７２が、ユーザから撮影操作終了の操作指令を受けたか否かを確認する。その結果、撮影操作終了の操作指令を受けた場合（ＹＥＳ）、Ｓ１０８に進む。一方、撮影操作終了の操作指令を受けていない場合（ＮＯ）、Ｓ１０７に戻る。Ｓ１０８では、撮影処理部７３が、第１カメラ２および第２カメラ３による撮影を終了させて、「Ｂ」に進む。
【００５６】
次に、図４の（ｂ）に示すように、「Ａ」からのフローはＳ２０１に進む。Ｓ２０１では、撮影処理部７３が、第１カメラ２および第２カメラ３により略３６０度撮影を開始し（撮影処理工程）、Ｓ２０２に進む。
【００５７】
Ｓ２０２では、開閉検知部７１が、端末が開状態になったか否かを確認する。その結果、端末が開状態になった場合（ＹＥＳ）、Ｓ２０３に進む。一方、端末が開状態になっていない場合（ＮＯ）、Ｓ２０２に戻る。
【００５８】
Ｓ２０３では、撮影処理部７３が、第１カメラ２および第２カメラ３による撮影を終了させて、「Ｂ」に進む。なお、ここでは端末が開状態になると共に撮影を終了させる処理について説明したが、撮影処理部７３は、例えば、ユーザから撮影操作終了の操作指令があった場合、当該操作指令に応じて第１カメラ２および第２カメラ３による撮影を終了させてもよい。
【００５９】
次に、図４の（ｃ）に示すように、「Ｂ」からのフローは、Ｓ３０１に進む。Ｓ３０１では、開閉検知部７１が、端末が閉状態になったか否かを確認する。その結果、端末が閉状態になった場合（ＹＥＳ）、Ｓ３０２に進む。一方、端末が閉状態になっていない場合（ＮＯ）、Ｓ３０１に戻る。Ｓ３０２では、制御装置７が、電子機器１０をスリープ状態に移行させて、「ＥＮＤ」となる。
【００６０】
〔ソフトウェアによる実現例〕
電子機器１０の制御装置７の制御ブロック（特に開閉検知部７１、指令受付部７２、撮影処理部７３、画像生成部７４、および表示制御部７５）は、集積回路（ＩＣチップ）等に形成された論理回路（ハードウェア）によって実現してもよいし、ソフトウェアによって実現してもよい。
【００６１】
後者の場合、制御装置７は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００６２】
〔まとめ〕
本発明の態様１に係る電子機器（１０）は、第１の筐体（第１筐体１１）と、第２の筐体（第２筐体１２）と、第１のカメラ（第１カメラ２）と、第２のカメラ（第２カメラ３）と、制御装置（７）と、を備え、前記第１のカメラは前記第１の筐体の一面に配され、前記第２のカメラは前記第２の筐体の一面に配され、前記第１のカメラが配された前記第１の筐体の一面と、前記第２のカメラが配された前記第２の筐体の一面とが、それぞれ外側となるように折りたたみ可能な電子機器であって、前記制御装置は、前記電子機器が折りたたまれた状態において、前記第１のカメラおよび前記第２のカメラに同時に撮影させる処理を実行可能である。
【００６３】
前記構成によれば、電子機器が折りたたまれた状態で、配される位置が異なる第１のカメラおよび第２のカメラによって同時に撮影することで、広い範囲を撮影できる。
【００６４】
本発明の態様２に係る電子機器は、前記態様１において、前記第１の筐体および前記第２の筐体にわたって設けられ折りたたみ可能な表示装置を備え、前記表示装置が内側となるように折りたたみ可能であることが好ましい。前記構成によれば、電子機器に大きな表示装置を採用した場合であっても、折りたたむことで持ち運びしやすく、収納しやすくなる。
【００６５】
本発明の態様３に係る電子機器は、前記態様２において、前記制御装置は、前記電子機器が折りたたまれた状態において撮影された、前記第１のカメラの撮影画像と、前記第２のカメラの撮影画像とを合成する処理をさらに実行することが好ましい。前記構成によれば、撮影方向がそれぞれ異なる第１のカメラおよび第２のカメラにより撮影された撮影画像を合成することで、１つの撮影画像に広い範囲を含ませることができる。
【００６６】
本発明の態様４に係る電子機器は、前記態様１から３の何れかにおいて、前記電子機器が折りたたまれた状態において、前記第１のカメラの光軸と、前記第２のカメラの光軸とが一致していても良い。前記構成によれば、電子機器が折りたたまれた状態において、第１のカメラの光軸と、第２のカメラの光軸とが一致する。これにより、２つのカメラの撮影画像を合成する場合には、合成が容易となる。
【００６７】
本発明の態様５に係る電子機器は、前記態様１〜４の何れかにおいて、前記制御装置は、前記電子機器が折りたたまれたことを契機として、前記第１のカメラおよび前記第２のカメラに撮影を開始させる処理をさらに実行しても良い。前記構成によれば、電子機器を折りたたむことで撮影が開始されるため、ユーザは簡便な操作により撮影を行うことができる。また、折りたたんだ状態の電子機器に操作ボタン等を設ける必要がない。
【００６８】
本発明の態様６に係る電子機器は、前記態様１〜４の何れかにおいて、前記制御装置は、前記電子機器が折りたたまれた状態において、撮影開始を指示する音声を認識する処理と、折りたたまれた前記電子機器が前記音声を認識したら、前記第１のカメラおよび前記第２のカメラに撮影を開始させる処理と、をさらに実行しても良い。前記構成によれば、音声認識により撮影が開始されるため、折りたたんだ状態の電子機器に操作ボタン等を設ける必要がない。
【００６９】
本発明の態様７に係る電子機器は、前記態様５または６において、前記制御装置は、折りたたまれた前記電子機器を開いたことを契機として、前記第１のカメラおよび前記第２のカメラに撮影を終了させる処理をさらに実行しても良い。前記構成によれば、折りたたまれた電子機器を開くことで撮影が終了するため、ユーザは簡便な操作により撮影を終了できる。また、電子機器を開いた状態での撮影画像が、折りたたまれた状態での撮影画像に意図せず含まれることを防ぐことができる。
【００７０】
本発明の態様８に係る電子機器は、前記態様３において、前記制御装置は、前記合成により得られた画像を前記表示装置に表示させる処理をさらに実行しても良い。前記構成によれば、第１のカメラおよび第２のカメラの撮影画像を合成した画像を表示装置に表示させることができるため、ユーザは広い範囲の撮影画像を確認できる。
【００７１】
本発明の態様９に係る制御装置（７）は、第１の筐体（第１筐体１１）と、第２の筐体（第２筐体１２）と、第１のカメラ（第１カメラ２）と、第２のカメラ（第２カメラ３）と、を備え、前記第１のカメラが配された前記第１の筐体の一面と、前記第２のカメラが配された前記第２の筐体の一面とが、それぞれ外側となるように折りたたみ可能な電子機器（１０）を制御する制御装置であって、前記電子機器が折りたたまれた状態であることを認識する開閉検知部（７１）と、前記開閉検知部が、前記電子機器が折りたたまれた状態であると認識した場合に、前記第１のカメラおよび第２のカメラに同時に撮影させる処理を実行可能な撮影処理部（７３）と、を含む。前記構成によれば、前記態様１と同様の効果を奏する。
【００７２】
本発明の態様１０に係る制御方法は、第１の筐体（第１筐体１１）と、第２の筐体（第２筐体１２）と、第１のカメラ（第１カメラ２）と、第２のカメラ（第２カメラ３）と、を備え、前記第１のカメラが配された前記第１の筐体の一面と、前記第２のカメラが配された前記第２の筐体の一面とが、それぞれ外側となるように折りたたみ可能な電子機器（１０）を制御する制御装置（７）の制御方法であって、前記電子機器が折りたたまれた状態であることを認識する開閉検知工程と、前記開閉検知工程が、前記電子機器が折りたたまれた状態であると認識した場合に、前記第１のカメラおよび第２のカメラに同時に撮影させる処理を実行する撮影処理工程と、を含む。前記方法によれば、前記態様１と同様の効果を奏する。
【００７３】
本発明の各態様に係る制御装置は、コンピュータによって実現してもよく、この場合には、コンピュータを前記制御装置が備える各部（ソフトウェア要素）として動作させることにより前記制御装置をコンピュータにて実現させる制御装置の制御プログラム、およびそれを記録したコンピュータ読み取り可能な記録媒体も、本発明の範疇に入る。
【００７４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７５】
２  第１カメラ（第１のカメラ）
３  第２カメラ（第２のカメラ）
７  制御装置
１０  電子機器
１１  第１筐体（第１の筐体）
１２  第２筐体（第２の筐体）
７１  開閉検知部
７３  撮影処理部
【図１】
2020122919.tif 000003
【図２】
2020122919.tif 000004
【図３】
2020122919.tif 000005
【図４】
2020122919.tif 000006